(57)【要約】【課題】  新規な見栄えを実現し得る車両用表示装置を提供する。【解決手段】  車両情報を表示可能な表示パネル１１を有する表示装置１０と、表示装置１０と通信可能な携帯端末２０とを備え、携帯端末２０には、タッチパネル付ディスプレイ２１の動作を制御する制御装置２２が設けられ、表示装置１０には、表示パネル１１の動作を制御する制御手段１２が設けられ、制御装置２２は、タッチパネル付ディスプレイ２１をユーザがタッチ操作することにより生成されるレイアウト変更信号を受信すると、このレイアウト変更信号に基づくレイアウト変更指示信号を制御手段１２へと送り、制御手段１２は、レイアウト変更指示信号に基づいてタッチパネル付ディスプレイ２１に表示されているレイアウト変更後の画像と同等のレイアウト画像を表示パネル１１に表示させるべく、表示パネル１１を表示動作させる。【選択図】図１
2013025652.tif 000002
【特許請求の範囲】
【請求項１】
所定の車両情報を画像として表示可能な表示パネルを有する表示装置と、前記表示装置と無線通信可能な携帯端末とを備え、
前記携帯端末には、各種情報を表示するタッチパネル付ディスプレイと、前記タッチパネル付ディスプレイの動作を制御する制御装置とが設けられ、
前記表示装置には、前記表示パネルの動作を制御する制御手段と、前記携帯端末に備えられる第１の通信部と間でデータのやりとりが可能であり、前記第１の通信部と前記制御手段との間に介在する第２の通信部とが設けられ、
前記制御装置は、前記タッチパネル付ディスプレイをユーザがタッチ操作することにより生成されるレイアウト変更信号を受信すると、前記レイアウト変更信号に基づくレイアウト変更指示信号を前記第１、第２の通信部を介して前記制御手段へと送り、
前記制御手段は、前記レイアウト変更指示信号に基づいて、前記タッチパネル付ディスプレイに表示されているレイアウト変更後の画像と同等のレイアウト画像を前記表示パネルに表示させるべく、前記表示パネルを表示動作させることを特徴とする表示制御装置。
【請求項２】
前記携帯端末には、ユーザが発する音声を前記制御装置に入力する音声入力部が設けられ、
前記制御装置は、前記音声を認識する音声認識機能を有し、前記音声入力部からの音声信号を受信すると、前記音声信号に基づいたレイアウト変更画像を前記タッチパネル付ディスプレイに表示させるべく前記タッチパネル付ディスプレイを表示動作させるとともに、前記音声信号に基づくレイアウト変更指令信号を前記第１、第２の通信部を介して前記制御手段へと送り、
前記制御手段は、前記レイアウト変更指令信号を受信すると、前記レイアウト変更画像と同等のレイアウト画像を前記表示パネルに表示させるべく、前記表示パネルを表示動作させることを特徴とする請求項１記載の表示制御装置。
【発明の詳細な説明】
【技術分野】
【０００１】
本発明は、所定の車両情報を画像として表示可能な表示パネルを有する表示装置と、表示パネルの動作を制御する制御手段とを備えた表示制御装置に関するものである。
【背景技術】
【０００２】
従来より、この種の表示制御装置にあっては、例えば下記特許文献１に記載されているものが知られている。この特許文献１に記載の表示制御装置は、ユーザに対して走行情報からなる車両情報を画像として表示可能な液晶表示パネル（表示パネル）を有する表示装置と、前記表示パネルの動作を制御するマイクロコンピュータやグラフィックコントローラを含む制御手段とを備えている。
【０００３】
この場合、前記走行情報は、車両の走行速度を指針式画像として表示する第１計器画像と、車両のエンジン回転数を指針式画像として表示する第２計器画像とで構成され、第１計器画像と第２計器画像とは互いに隣接するように画像表示装置に表示された状態となっている。
【先行技術文献】
【特許文献】
【０００４】
【特許文献１】特開２００７−１６０９９５号公報
【発明の概要】
【発明が解決しようとする課題】
【０００５】
ところで、上述した特許文献１に記載の表示制御装置の場合、車両走行時において、表示装置上に前述した第１、第２計器画像が常時、表示される構成となっているが、これら第１、第２計器画像は、その表示形態が何ら変化することがないため、面白みがなく単調な見栄えとならざるを得なかった。
そこで本発明は、前述の課題に対して対処するため、新規な見栄えを実現し得る表示制御装置の提供を目的とするものである。
【課題を解決するための手段】
【０００６】
本発明は、所定の車両情報を画像として表示可能な表示パネルを有する表示装置と、前記表示装置と無線通信可能な携帯端末とを備え、前記携帯端末には、各種情報を表示するタッチパネル付ディスプレイと、前記タッチパネル付ディスプレイの動作を制御する制御装置とが設けられ、前記表示装置には、前記表示パネルの動作を制御する制御手段と、前記携帯端末に備えられる第１の通信部と間でデータのやりとりが可能であり、前記第１の通信部と前記制御手段との間に介在する第２の通信部とが設けられ、前記制御装置は、前記タッチパネル付ディスプレイをユーザがタッチ操作することにより生成されるレイアウト変更信号を受信すると、前記レイアウト変更信号に基づくレイアウト変更指示信号を前記第１、第２の通信部を介して前記制御手段へと送り、前記制御手段は、前記レイアウト変更指示信号に基づいて、前記タッチパネル付ディスプレイに表示されているレイアウト変更後の画像と同等のレイアウト画像を前記表示パネルに表示させるべく、前記表示パネルを表示動作させることを特徴とする。
【０００７】
また本発明は、前記携帯端末には、ユーザが発する音声を前記制御装置に入力する音声入力部が設けられ、前記制御装置は、前記音声を認識する音声認識機能を有し、前記音声入力部からの音声信号を受信すると、前記音声信号に基づいたレイアウト変更画像を前記タッチパネル付ディスプレイに表示させるべく前記タッチパネル付ディスプレイを表示動作させるとともに、前記音声信号に基づくレイアウト変更指令信号を前記第１、第２の通信部を介して前記制御手段へと送り、前記制御手段は、前記レイアウト変更指令信号を受信すると、前記レイアウト変更画像と同等のレイアウト画像を前記表示パネルに表示させるべく、前記表示パネルを表示動作させることを特徴とする。
【発明の効果】
【０００８】
本発明によれば、初期の目的を達成でき、新規な見栄えを実現し得る表示制御装置を提供できる。
【図面の簡単な説明】
【０００９】
【図１】本発明の第１実施形態による表示制御装置の電気的構成を示すブロック図。
【図２】同実施形態によるレイアウト変更が行われる前の表示装置における表示パネルの正面図。
【図３】同実施形態によるレイアウト変更が行われる前の携帯端末におけるタッチパネル付ディスプレイの正面図。
【図４】（ａ）はタッチパネル付ディスプレイがカスタマイズ画面に切り替わった状態を示すものであり、（ｂ）はジェスチャー操作前のユーザの指と各種メータ画像とを示す図であり、（ｃ）はジェスチャー操作後のユーザの指と各種メータ画像とを示す図であり、（ｄ）はジェスチャー操作後において、メニューをタッチ操作した状態を示すタッチパネル付ディスプレイの正面図である。
【図５】図４（ｄ）の状態から、ユーザが決定ボタンを操作したときに表示パネルに表示される各種メータ画像を示す。
【図６】本発明の第２実施形態による表示制御装置の電気的構成を示すブロック図。
【発明を実施するための形態】
【００１０】
以下、図１〜図５に基づいて本発明の第１実施形態を説明する。
【００１１】
図１において、本実施形態による表示制御装置は、車両の運転席前方に設置された車両用計器（車両用メータ）からなる表示装置１０と、この表示装置１０と無線通信可能なスマートフォンからなる携帯端末２０とを備え、これら表示装置１０及び携帯端末２０は、ともに近距離電波送受信機能を有している。
【００１２】
表示装置１０は、表示パネル１１と、制御手段１２と、入力端子１３と、通信部１４とから主に構成され、表示パネル１１は、例えば車両の運転者（ユーザ）に対して所定の車両情報を画像として表示可能な液晶表示パネルや有機ＥＬパネルからなるフラットパネルディスプレイを適用することができ、本例では、車両の運転席に着座している運転者の前方となる車内の適宜箇所に設置されているものとする。
【００１３】
なお、この場合、画像を表示する表示パネル１１は、図２に示すように、その画面上にて、例えば車両の走行速度を指針式画像として表示する前記車両情報としてのスピードメータ画像（第１計器画像）１５と、車両のエンジン回転数を指針式画像として表示する前記車両情報としてのタコメータ画像（第２計器画像）１６とを表示可能に構成されている。
【００１４】
スピードメータ画像１５並びにタコメータ画像１６は、ともに機械式の指針計器を模した画像となっており、制御手段１２による制御のもと、入力端子１３を通じて入力する車速情報、回転数情報に応じた値を指示するようになっている。
【００１５】
なお、スピードメータ画像１５は、図２中、表示パネル１１の左方側に表示され、線状に延びる第１指針１５ａと、この第１指針１５ａの作動範囲に表示され、第１指針１５ａによって指示される数字、目盛等からなる第１指標部１５ｂとを有し、またタコメータ画像１６は、図２中、表示パネル１１の右方側に表示され、線状に延びる第２指針１６ａと、この第２指針１６ａの作動範囲に表示され、第２指針１６ａによって指示される数字、目盛等からなる第２指標部１６ｂとを有している。
【００１６】
制御手段１２は、例えばＲＯＭ、ＲＡＭ、不揮発性メモリやフラッシュメモリ等の記憶装置を含むマイクロコンピュータ１２ａと、ＯｐｅｎＧＬ  ＥＳを含む基本ソフトと、マイクロコンピュータ１２ａからの指令信号に応じて基本ソフト、ＯｐｅｎＧＬ  ＥＳを介して表示パネル１１の動作を制御するグラフィックコントローラ１２ｂとからなる。
【００１７】
マイクロコンピュータ１２ａは、入力端子１３を通じて入力する前記車速情報、前記回転数情報を処理し、グラフィックコントローラ１２ｂの制御を元に基本ソフト、ＯｐｅｎＧＬ  ＥＳを介して表示パネル１１に表示させるスピードメータ画像１５並びにタコメータ画像１６を制御する。
【００１８】
通信部１４は、携帯端末２０に備えられる後述する他の通信部（第１の通信部）との間で無線通信を行うものである。換言すれば、通信部１４は、携帯端末２０に備えられる前記他の通信部と間でデータのやりとりが可能であり、前記他の通信部と制御手段１２との間に介在するように設けられる。なお、この通信部１４は、後述する特許請求の範囲における第２の通信部に相当するものである。
【００１９】
一方、車両の運転者が携帯している携帯端末２０は、各種情報を表示するタッチパネル付ディスプレイ２１と、このタッチパネル付ディスプレイ２１の動作を制御するＣＰＵや制御対象となる基本ソフト（ｉＯＳ、Ａｎｄｒｏｉｄ等）と基本ソフトの命令を受けて描画補助を行うＯｐｅｎＧＬ  ＥＳを含む制御装置２２と、表示装置１０の通信部１４との間でデータのやりとりが可能な他の通信部２３とから主に構成されている。
【００２０】
タッチパネル付ディスプレイ２１は、携帯端末２０の正面に設けられ、例えば詳細図示は省略するが、液晶表示パネルの表示エリア上に抵抗膜方式や静電容量方式等のタッチパネルが重ねて配置された構成となっており、運転者が前記表示エリアに対応するタッチパネル箇所をタッチすることにより、スイッチとして機能する。
【００２１】
例えば図３に示すように、タッチパネル付ディスプレイ２１には、メニュー画面として複数個のアイコン２１ａ、２１ｂ、２１ｃ、２１ｄ、・・・・が表示され、特定のアイコンにタッチすることにより、所望のプログラムを駆動することができる。なお、この場合、アイコン２１ａは、計器画像レイアウト変更用のカスタマイズ用アイコンとなっている。
【００２２】
他の通信部２３は、表示装置１０に備えられる通信部１４との間で無線通信を行うものである。なお、この他の通信部２３は、後述する特許請求の範囲における第１の通信部に相当するものである。
【００２３】
次に、図４を用いて、携帯端末２０を利用した計器画像のレイアウト変更方法について説明する。なお、このとき、運転者はイグニッションスイッチをオンさせたまま車両を一時停止させ、携帯端末２０を把持しているものとする。
【００２４】
まず、図３に示すように携帯端末２０のタッチパネル付ディスプレイ２１にメニュー画面が表示されている状態において、運転者が計器画像レイアウト変更用のカスタマイズ用アイコンであるアイコン２１ａをタッチし、その後、携帯端末２０自体を９０度回転させると、図４（ａ）に示すような計器画像レイアウト変更用のカスタマイズ画面３０がタッチパネル付ディスプレイ２１に表示される。
【００２５】
カスタマイズ画面３０の上部にはツールバー３１が表示されるとともに、カスタマイズ画面３０における前記上部以外の領域には、計器画像を模した初期画面３２が表示される。かかる初期画面３２に表示される疑似計器画像は、表示装置１０側に表示される計器画像（スピードメータ画像１５及びタコメータ画像１６）と同一のレイアウトになっている。つまり、このとき、初期画面３２の左方側には疑似スピードメータ画像３３が表示され、初期画面３２の右方側には疑似タコメータ画像３４が表示される。
【００２６】
次に、図４（ｂ）に示すように、運転者の人差し指４０を疑似スピードメータ画像３３に対応するカスタマイズ画面３０箇所にタッチした状態のまま、人差し指４０をカスタマイズ画面３０の右端側に移動させると、制御装置２２による制御のもと、疑似スピードメータ画像３３がカスタマイズ画面３０の右端側に移動し、さらに図４（ｂ）の点線部分にて示すように、人差し指４０を疑似タコメータ画像３４に対応するカスタマイズ画面３０箇所にタッチした状態のまま、人差し指４０をカスタマイズ画面３０の左端側に移動させると、制御装置２２による制御のもと、疑似タコメータ画像３４がカスタマイズ画面３０の左端側に移動する。
【００２７】
次に、運転者は、その人差し指４０をツールバー３１における燃料計用ツールバー３１ａ箇所にタッチし、人差し指４０をカスタマイズ画面３０上に沿うようにカスタマイズ画面３０の中央下方に移動させると、制御装置２２による制御のもと、疑似フューエルメータ画像３５がカスタマイズ画面３０の中央下方に表示される（図４（ｃ）参照）。この際、疑似フューエルメータ画像３５は疑似スピードメータ画像３３と疑似タコメータ画像３４との間に追加表示される構成となっている。
【００２８】
なお、図４（ｃ）の状態において、運転者の図示しない親指と人差し指４０とを利用して、疑似スピードメータ画像３３と疑似タコメータ画像３４と疑似フューエルメータ画像３５とのうち少なくとも１つを拡大表示、あるいは縮小表示させるようにしてもよい。
【００２９】
具体的には、詳細図示は省略するが、例えば運転者が、その前記親指と人差し指４０をくっつけた状態で、疑似スピードメータ画像３３に対応するカスタマイズ画面３０箇所をタッチし、その後、前記親指と人差し指４０とを離間させるように前記親指と人差し指４０をカスタマイズ画面３０上に沿い移動させることで、制御装置２２による制御のもと、疑似スピードメータ画像３３が拡大表示されるようになっている。
【００３０】
これとは逆に、前記親指と人差し指４０を離した状態で、疑似スピードメータ画像３３に対応するカスタマイズ画面３０箇所をタッチし、その後、前記親指と人差し指４０とをくっつけるように前記親指と人差し指４０をカスタマイズ画面３０上に沿い移動させると、疑似スピードメータ画像３３が縮小表示される構成となる。
【００３１】
最後に、運転者は、携帯端末２０を利用した計器画像のレイアウト変更完了後、その人差し指４０をツールバー３１におけるメインメニューツールバー３１ｂ箇所にタッチすると、図４（ｄ）に示すように、「戻る」や「決定」等の複数個の操作部３６がメインメニューツールバー３１ｂの真下に表示される。
【００３２】
そして、運転者の人差し指４０によって操作部３６の「決定」ボタンがタッチ操作されると、制御装置２２は、タッチパネル付ディスプレイ２１を運転者がタッチ操作することにより生成されたレイアウト変更信号（つまり図４（ｄ）のごとき計器画像がレイアウト変更されたことを示す信号）を受信する。
【００３３】
制御装置２２は、前記レイアウト変更信号に基づくレイアウト変更指示信号を出力し、前記レイアウト変更指示信号は、他の通信部２３及び他の通信部２３と無線通信可能な表示装置１０側の通信部１４へと送られ、この通信部１４へと送られる前記レイアウト変更指示信号は表示装置１０側の制御手段１２へと出力される（送られる）。
【００３４】
制御手段１２に前記レイアウト変更指示信号が入力されると、制御手段１２は、前記レイアウト変更指示信号に基づく表示を表示パネル１１に表示させるべく、表示パネル１１を表示動作させる。つまり、この場合、制御手段１２は、前記レイアウト変更指示信号に基づいて、携帯端末２０側のタッチパネル付ディスプレイ２１に表示されているレイアウト変更後の画像（図４（ｄ）に表示されている計器画像）と同等のレイアウト画像を表示パネル１１に表示させるべく、表示パネル１１を表示動作させる制御を行う。
【００３５】
すると、表示パネル１１には、タッチパネル付ディスプレイ２１に表示されているレイアウト変更後の画像と同じレイアウトの画像、つまり表示パネル１１の左端側にタコメータ画像１６が表示されるとともに表示パネル１１の右端側にスピードメータ画像１５が表示され、タコメータ画像１６とスピードメータ画像１５との間にフューエルメータ画像（第３計器画像）１７が表示される。かかるフューエルメータ画像１７には、スピードメータ画像１５やタコメータ画像１６と同様に、線状に延びる第３指針１７ａと、この第３指針１７ａの作動範囲に表示され、第３指針１７ａによって指示される数字、目盛等からなる第３指標部１７ｂとが形成されることは言うまでもない。
【００３６】
以上のように本実施形態では、車両情報を画像として表示可能な表示パネル１１を有する表示装置１０と無線通信可能な携帯端末２０を備え、携帯端末２０には、各種情報を表示するタッチパネル付ディスプレイ２１と、タッチパネル付ディスプレイ２１の動作を制御する制御装置２２とが設けられ、表示装置１０には、表示パネル１１の動作を制御する制御手段１２と、携帯端末２０に備えられる他の通信部（第１の通信部）２３と間でデータのやりとりが可能であり、他の通信部２３と制御手段１２との間に介在する通信部（第２の通信部）１４とが設けられ、制御装置２２は、タッチパネル付ディスプレイ２１を運転者（ユーザ）がタッチ操作することにより生成される前記レイアウト変更信号を受信すると、前記レイアウト変更信号に基づく前記レイアウト変更指示信号を他の通信部２３及び通信部１４を介して制御手段１２へと送り、制御手段１２は、前記レイアウト変更指示信号に基づいて、タッチパネル付ディスプレイ２１に表示されているレイアウト変更後の画像（図４（ｄ）に示す計器画像）と同等のレイアウト画像を表示パネル１１に表示させるべく、表示パネル１１を表示動作させることにより、ユーザの意図を反映したレイアウトで各種情報を表示装置１０（車両用計器）にリアルタイムで表示させることが可能となることから使い勝手がよく、またユーザによる携帯端末２０上（タッチパネル付ディスプレイ２１上）でのタッチ操作に応じて計器画像の表示形態が変化するので、面白みのある新規な見栄えを実現することが可能となる。
【００３７】
また本実施形態では、運転者（ユーザ）がタッチパネル付ディスプレイ２１に表示されている燃料計用ツールバー３１ａを利用して、疑似スピードメータ画像３３及び疑似タコメータ画像３４が表示されているタッチパネル付ディスプレイ２１に疑似フューエルメータ画像３５を追加表示させる例について説明したが、例えば本実施形態の第２実施形態として、図４（ｂ）の状態から「燃料計、見たい」なる音声をユーザが発すると、図４（ｃ）に示すようにタッチパネル付ディスプレイ２１に疑似フューエルメータ画像３５が追加されたレイアウト変更画像を表示させてもよい。
【００３８】
図６は、本発明の第２実施形態による表示制御装置の電気的構成を示すブロック図であり、前述した実施形態と異なる点は、制御装置２２の入力側にマイクロフォンからなる音声入力部２４が接続されている点にある。つまり、携帯端末２０にはユーザが発する音声を制御装置２２に入力する音声入力部２４が設けられている構成となっている。
【００３９】
そして、制御装置２２は、音声を認識する音声認識機能を有し、音声入力部２４からの音声信号を受信すると、前記音声信号に基づいた前記レイアウト変更画像をタッチパネル付ディスプレイ２１に表示させるべくタッチパネル付ディスプレイ２１を表示動作させ、これによりタッチパネル付ディスプレイ２１には図４（ｃ）に示すように疑似フューエルメータ画像３５が追加される。
【００４０】
これと同時に制御装置２２は、前記音声信号に基づくレイアウト変更指令信号を他の通信部２３及び通信部１４を介して制御手段１２へと送り、制御手段１２は、前記レイアウト変更指令信号を受信すると、前記レイアウト変更画像と同等のレイアウト画像を表示パネル１１に表示させるべく、表示パネル１１を表示動作させる。
【００４１】
すると、表示パネル１１には、前述した実施形態と同様に、表示パネル１１の左端側にタコメータ画像１６が表示されるとともに表示パネル１１の右端側にスピードメータ画像１５が表示され、タコメータ画像１６とスピードメータ画像１５との間にフューエルメータ画像１７が表示されるので、ユーザの意図を反映したレイアウトで各種情報を表示装置１０（車両用計器）にリアルタイムで表示させることが可能となり、且つ、ユーザからの音声に応じて計器画像の表示形態が変化するので、面白みのある新規な見栄えを実現することが可能となる。
【００４２】
なお前記各実施形態では、表示パネル１１に機械式の指針計器を模したスピードメータ画像１５やタコメータ画像１６、フューエルメータ画像１７が表示されるとともに、タッチパネル付ディスプレイ２１に機械式の指針計器を模した疑似スピードメータ画像３３や疑似タコメータ画像３４、疑似フューエルメータ画像３５が表示される例について説明したが、これらの画像はデジタル式の計器画像であってもよいし、さらにはタコメータやフューエルメータの画像に代えて各種車両情報に関する画像（例えば水温計の画像や燃費表示、警告表示、インジケータ表示等の画像）を表示させたり、スマートフォンからなる携帯端末２０の制御装置２２が保持しているデータを視覚化した画像や動画（例えば時刻表示、画像データ表示等の画像や動画データ等の動画）を表示させてもよい。
【符号の説明】
【００４３】
１０    表示装置
１１    表示パネル
１２    制御手段
１２ａ  マイクロコンピュータ
１２ｂ  グラフィックコントローラ
１３    入力端子
１４    通信部（第２の通信部）
１５    スピードメータ画像（第１計器画像）
１６    タコメータ画像（第２計器画像）
１７    フューエルメータ画像（第３計器画像）
２０    携帯端末
２１    タッチパネル付ディスプレイ
２１ａ、２１ｂ、２１ｃ、２１ｄ  アイコン
２２    制御装置
２３    他の通信部（第１の通信部）
２４    音声入力部
３０    カスタマイズ画面
３１    ルーツバー
３１ａ  燃料計用ツールバー
３１ｂ  メインメニューツールバー
３２    初期画面
３３    スピードメータ画像（第１計器画像）
３４    タコメータ画像（第２計器画像）
３５    フューエルメータ画像（第３計器画像）
３６    操作部
【図１】
2013025652.tif 000003
【図２】
2013025652.tif 000004
【図３】
2013025652.tif 000005
【図４】
2013025652.tif 000006
【図５】
2013025652.tif 000007
【図６】
2013025652.tif 000008